【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
画像表示領域を構成する各画素セルに列毎に設けられて一定の順序で繰り返し配置される複数種類のソース線と、前記各画素セルに行毎に設けられる複数のゲート線と、前記画像表示領域の外側に前記各ソース線が互いに略平行に引出されて検査用領域を形成する引出部とを備え、検査時ではない通常表示時に前記引出部に駆動ドライバが実装されるアクティブマトリックス方式の液晶表示パネルの特性検査を実施する検査装置であって、
前記液晶表示パネルの前記引出部には、前記ソース線の引出方向と交差する方向に沿って、互いに略平行な第１ラインおよび第２ラインがそれぞれ規定され、
前記液晶表示パネルは、
前記第１ラインに沿って形成され、偶数列の前記各ソース線が絶縁被膜されることにより奇数列の前記各ソース線に信号入力可能な検査用端子列と、
前記第２ラインに沿って形成され、奇数列の前記各ソース線が絶縁被膜されることにより偶数列の前記各ソース線に信号入力可能な検査用端子列と、を備え、
前記検査装置は、
前記第１ラインにおける前記検査用端子列に接続される第１コンタクト部と、
前記第２ラインにおける前記検査用端子列に接続される第２コンタクト部と、
前記第１コンタクト部および前記第２コンタクト部をそれぞれ介して前記各ソース線に奇数列毎および偶数列毎に所定のハイレベル電圧またはこのハイレベル電圧よりも低いローレベル電圧を印加する第１ソース駆動部および第２ソース駆動部と、
前記ゲート線に所定電圧を印加するゲート駆動部と、
前記第１コンタクト部および奇数列の前記各ソース線を含む奇数列回路網に流れる電流を測定する第１電流測定部と、
前記第２コンタクト部および偶数列の前記各ソース線を含む偶数列回路網に流れる電流を測定する第２電流測定部と、
前記第１ソース駆動部、前記第２ソース駆動部、および前記ゲート駆動部を制御して電流リークを検査する検査制御部と、
前記液晶表示パネルの前記画像表示領域を照明する照明装置と、
を備え、
前記検査制御部は、
前記第１電流測定部または前記第２電流測定部による電流測定を行う際に前記照明装置の照明を消灯するとともに、
前記第１コンタクト部を介して奇数列の前記各画素セルがオン状態に駆動された際に前記第１コンタクト部および奇数列の前記ソース線を含む奇数列回路網に流れる電流と所定の良品時電流との差分に基づいて、前記画素セル間の電流リークを検査し、
前記第２コンタクト部を介して偶数列の前記各画素セルがオン状態に駆動された際に前記第２コンタクト部および偶数列の前記ソース線を含む偶数列回路網に流れる電流と所定の良品時電流との差分に基づいて、前記画素セル間の電流リークを検査する
ことを特徴とする検査装置。
【請求項２】
請求項１に記載の検査装置において、
前記検査制御部は、前記ゲート駆動部により前記ゲート線に所定電圧を印加させて前記画素セルをオン状態に駆動させるゲート時間を、検査時ではない前記液晶表示パネルの通常表示時における交流信号の半周期よりも長い時間に設定する
ことを特徴とする検査装置。
【請求項３】
請求項２に記載の検査装置において、
前記検査制御部は、前記画素セルに電荷が静電容量に応じて蓄えられるチャージ時間よりも、前記ゲート時間を越えない範囲で長い待機時間を計数する計時部を有し、前記ゲート駆動部が電圧印加信号を出力した時から前記待機時間の経過後に、前記第１電流測定部および前記第２電流測定部による電流測定を行う
ことを特徴とする検査装置。
【請求項４】
請求項１から請求項３のいずれかに記載の検査装置により、前記液晶表示パネルの特性検査を行う検査方法であって、
前記照明装置の照明を消灯するバックライト消灯工程と、
奇数列の前記各画素セルをオン状態に駆動して前記画素セル間の電流リークを検査する第１検査工程と、
偶数列の前記各画素セルをオン状態に駆動して前記画素セル間の電流リークを検査する第２検査工程とを備え、
前記第１検査工程は、
奇数列の前記各画素セルが互いに繋がれた奇数列回路網を形成して奇数列の前記各画素セルをオン状態に駆動する画素セル駆動工程と、
前記奇数回路網に流れる電流を測定する電流測定工程と、
前記電流測定工程で測定された電流と所定の良品時電流との差分を求めこの差分に基づいて前記画素セル間の電流リークを検出する電流リーク検出工程とを有し、
前記第２検査工程は、
偶数列の前記各画素セルが互いに繋がれた偶数列回路網を形成して偶数列の前記各画素セルをオン状態に駆動する画素セル駆動工程と、
前記偶数回路網に流れる電流を測定する電流測定工程と、
前記電流測定工程で測定された電流と所定の良品時電流との差分を求めこの差分に基づいて前記画素セル間の電流リークを検出する電流リーク検出工程とを有する
ことを特徴とする検査方法。
【手続補正２】
【補正対象書類名】明細書
【補正対象項目名】発明の名称
【補正方法】変更
【補正の内容】
【発明の名称】検査装置、および検査方法
【手続補正３】
【補正対象書類名】明細書
【補正対象項目名】０００１
【補正方法】変更
【補正の内容】
【０００１】
本発明は、検査装置、および検査方法に関する。
【手続補正４】
【補正対象書類名】明細書
【補正対象項目名】００１０
【補正方法】変更
【補正の内容】
【００１０】
本発明の目的は、各信号線に一括コンタクトされる液晶表示パネルについて、コンタクトの安定性を損なうことなく液晶表示パネルに形成される検査用領域を小さくできる検査装置、および検査方法を提供することにある。
【手続補正５】
【補正対象書類名】明細書
【補正対象項目名】００１１
【補正方法】変更
【補正の内容】
【００１１】
本発明の検査装置は、画像表示領域を構成する各画素セルに列毎に設けられて一定の順序で繰り返し配置される複数種類のソース線と、前記各画素セルに行毎に設けられる複数のゲート線と、前記画像表示領域の外側に前記各ソース線が互いに略平行に引出されて検査用領域を形成する引出部とを備え、検査時ではない通常表示時に前記引出部に駆動ドライバが実装されるアクティブマトリックス方式の液晶表示パネルの特性検査を実施する検査装置であって、前記液晶表示パネルの前記引出部には、前記ソース線の引出方向と交差する方向に沿って、互いに略平行な第１ラインおよび第２ラインがそれぞれ規定され、前記液晶表示パネルは、前記第１ラインに沿って形成され、偶数列の前記各ソース線が絶縁被膜されることにより奇数列の前記各ソース線に信号入力可能な検査用端子列と、前記第２ラインに沿って形成され、奇数列の前記各ソース線が絶縁被膜されることにより偶数列の前記各ソース線に信号入力可能な検査用端子列と、を備え、前記検査装置は、前記第１ラインにおける前記検査用端子列に接続される第１コンタクト部と、前記第２ラインにおける前記検査用端子列に接続される第２コンタクト部と、前記第１コンタクト部および前記第２コンタクト部をそれぞれ介して前記各ソース線に奇数列毎および偶数列毎に所定のハイレベル電圧またはこのハイレベル電圧よりも低いローレベル電圧を印加する第１ソース駆動部および第２ソース駆動部と、前記ゲート線に所定電圧を印加するゲート駆動部と、前記第１コンタクト部および奇数列の前記各ソース線を含む奇数列回路網に流れる電流を測定する第１電流測定部と、前記第２コンタクト部および偶数列の前記各ソース線を含む偶数列回路網に流れる電流を測定する第２電流測定部と、前記第１ソース駆動部、前記第２ソース駆動部、および前記ゲート駆動部を制御して電流リークを検査する検査制御部と、前記液晶表示パネルの前記画像表示領域を照明する照明装置と、を備え、前記検査制御部は、前記第１電流測定部または前記第２電流測定部による電流測定を行う際に前記照明装置の照明を消灯するとともに、前記第１コンタクト部を介して奇数列の前記各画素セルがオン状態に駆動された際に前記第１コンタクト部および奇数列の前記ソース線を含む奇数列回路網に流れる電流と所定の良品時電流との差分に基づいて、前記画素セル間の電流リークを検査し、前記第２コンタクト部を介して偶数列の前記各画素セルがオン状態に駆動された際に前記第２コンタクト部および偶数列の前記ソース線を含む偶数列回路網に流れる電流と所定の良品時電流との差分に基づいて、前記画素セル間の電流リークを検査することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
本発明の検査方法は、前述の検査装置により液晶表示パネルの特性検査を行う検査方法であって、前記照明装置の照明を消灯するバックライト消灯工程と、奇数列の前記各画素セルをオン状態に駆動して前記画素セル間の電流リークを検査する第１検査工程と、偶数列の前記各画素セルをオン状態に駆動して前記画素セル間の電流リークを検査する第２検査工程とを備え、前記第１検査工程は、奇数列の前記各画素セルが互いに繋がれた奇数列回路網を形成して奇数列の前記各画素セルをオン状態に駆動する画素セル駆動工程と、前記奇数回路網に流れる電流を測定する電流測定工程と、前記電流測定工程
で測定された電流と所定の良品時電流との差分を求めこの差分に基づいて前記画素セル間の電流リークを検出する電流リーク検出工程とを有し、前記第２検査工程は、偶数列の前記各画素セルが互いに繋がれた偶数列回路網を形成して偶数列の前記各画素セルをオン状態に駆動する画素セル駆動工程と、前記偶数回路網に流れる電流を測定する電流測定工程と、前記電流測定工程で測定された電流と所定の良品時電流との差分を求めこの差分に基づいて前記画素セル間の電流リークを検出する電流リーク検出工程とを有することを特徴とする。
【手続補正８】
【補正対象書類名】明細書
【補正対象項目名】００２６
【補正方法】変更
【補正の内容】
【００２６】
本発明の検査装置では、上述したように、前記液晶表示パネルの前記画像表示領域を照明する照明装置を備え、前記検査制御部は、前記第１電流測定部または前記第２電流測定部による電流測定を行う際に前記照明装置の照明を消灯することを特徴とする。